(57)【要約】【課題】 調光制御ケーブルとして４心のケーブルが用いられる場合でも、プラグの引き外しを容易に行なうことができるトンネル照明器具用コネクタを提供する。【解決手段】本発明に係わるプラグ１１は、太径の本体１２ｂとレセプタクル１７内に挿入される細径の先端部１２ａとを一体に有して本体が調光制御ケーブル６の絶縁被覆に一体化されたプラグハウジング１２と、プラグハウジング内に設けられてケーブル６の心線に接続されるプラグ側コンタクト１６ａないし１６ｄとを備えている。プラグ１１をレセプタクル１７に接続する際にプラグの向きを判別するために用いられる凸状の合わせマーク１９がプラグハウジング１２の本体１２ｂの外周に形成されている。【選択図】    図４
2005310763.tif 000002
【特許請求の範囲】
【請求項１】
トンネル内に所定の間隔を隔てて設置された複数の照明器具と、前記複数の照明器具のそれぞれの内部に設けられた調光器に制御信号を与えるために各照明器具に接続された調光制御ケーブルとを備えたトンネル内照明装置において、
前記複数の照明器具のそれぞれと調光制御ケーブルとの接続は、プラグ及びレセプタクルを備えたコネクタを介して行なわれており、
前記プラグをレセプタクルに接続する際に前記プラグの軸線回りの位置を合わせるために用いる凸状または凹状の合わせマークが、前記プラグ及びレセプタクルのそれぞれに設けられていることを特徴とするトンネル内照明装置。
【請求項２】
トンネル内に所定の間隔を隔てて設置された複数の照明器具と、前記複数の照明器具のそれぞれの内部に設けられた調光器に制御信号を与えるために各照明器具に接続された調光制御ケーブルとを備えたトンネル内照明装置において、
前記調光制御ケーブルは前記複数の照明器具に対して共通に設けられた主調光制御ケーブルと、各照明器具の設置箇所で前記主調光制御ケーブルから分岐した各照明器具用の分岐調光制御ケーブルとからなり、前記分岐調光制御ケーブルがプラグ及びレセプタクルからなるコネクタを介して対応する照明器具に接続され、
前記プラグをレセプタクルに接続する際に前記プラグの軸線回りの位置を合わせるために用いる凸状または凹状の合わせマークが、前記プラグ及びレセプタクルのそれぞれに設けられていることを特徴とするトンネル内照明装置。
【請求項３】
トンネル内に設置される照明器具内の調光器に制御信号を与えるために該照明器具のケースに取り付けられるレセプタクルと、前記調光器に与える制御信号を伝送する調光制御ケーブルの端末部に取り付けられて前記レセプタクルに接続されるプラグとを備えたトンネル照明器具用コネクタであって、
前記プラグは、太径の本体と前記レセプタクル内に挿入される細径の先端部とを一体に有して前記本体が前記ケーブルの絶縁被覆に一体化されたプラグハウジングと、前記プラグハウジング内に設けられて前記ケーブルの心線に接続されるプラグ側コンタクトとを備え、
前記プラグをレセプタクルに接続する際に前記プラグの向きを判別するために用いられる凸状または凹状の合わせマークが前記プラグハウジングの本体の外周に形成されていること、
を特徴とするトンネル照明器具用コネクタ。
【請求項４】
前記プラグハウジングの本体の外周に、該本体の周方向に伸びる１対の環状の凸条部が前記プラグハウジングの長手方向に間隔を隔てた状態で設けられ、
前記合わせマークは、前記１対の凸条部の間に形成されている請求項３に記載のトンネル照明器具用コネクタ。
【請求項５】
前記レセプタクルは、大径部と該大径部の後端部側から軸線方向に突出して延びる小径の雄ネジ部とを一体に有し、前記プラグハウジングの先端部を受け入れるための凹部を内側に有して前記雄ネジ部が前記照明器具のケースに設けられた取付け孔を通して前記照明器具内に導入されるレセプタクルハウジングと、前記レセプタクルハウジング内に収容されて前記プラグハウジングの先端部が前記凹部内に挿入された際に前記プラグ側コンタクトに接触させられるレセプタクル側コンタクトと、前記雄ネジ部に螺合されたナットと、前記雄ネジ部に嵌合されて前記レセプタクルハウジングの大径部と小径の雄ネジ部との間に形成された段部と前記照明器具のケースの取付け孔の周辺部との間に配置されるパッキンと、前記ナットと前記取付け孔の周辺部との間で前記パッキンを外側から取り囲むように設けられた環状のパッキン規制部材とを備え、
前記ナットが前記レセプタクルハウジング側に締め付けられて前記照明器具のケースの取り付け孔の周辺部が前記パッキン規制部材に当接した際に、前記パッキンの圧縮量が適正になるように、前記パッキン規制部材の軸線方向長さが設定されていること、
を特徴とする請求項３または４に記載のトンネル照明器具用コネクタ。
【請求項６】
前記レセプタクルハウジングのハウジング本体の外周に、前記プラグの合わせマークに対応する凸状または凹状のレセプタクル側合わせマークが設けられ、かつ前記レセプタクルハウジングの雄ネジ部の外周に、前記照明器具のケースに設けられた取付け孔の内周に形成された位置決め突起を嵌合させるための溝が形成されていることを特徴とする請求項５に記載のトンネル照明器具用コネクタ。
【請求項７】
トンネル内に設置される照明器具の調光器に与える制御信号を伝送するための第１ないし第４の心線を有する調光制御ケーブルと、該ケーブルの一端及び他端にそれぞれ取り付けられた１対のプラグとを備えたトンネル照明器具用プラグ付き調光制御ケーブルにおいて、
前記１対のプラグのそれぞれは、太径の本体と前記照明器具に取り付けられたレセプタクル内に挿入される細径の先端部とを一体に有して前記本体が前記ケーブルの絶縁被覆に一体化されたプラグハウジングと、前記プラグハウジング内に設けられて前記ケーブルの第１ないし第４の心線にそれぞれ接続された第１ないし第４のプラグ側コンタクトとを備え、
前記プラグをレセプタクルに接続する際に前記プラグの向きを判別するために用いられる凸状または凹状の合わせマークが前記プラグハウジングの本体の外周に形成され、
前記１対のプラグのそれぞれの端面を軸線方向から見たときに前記第１ないし第４の心線にそれぞれ接続された第１ないし第４のプラグ側コンタクトが同じ方向に並ぶように前記ケーブルの第１ないし第４の心線と１対のプラグのそれぞれの第１ないし第４のプラグ側コンタクトとが前記プラグハウジング内で接続されていること、
を特徴とするトンネル照明器具用プラグ付き調光制御ケーブル。
【発明の詳細な説明】
【技術分野】
【０００１】
本発明は、トンネル内を照明するトンネル内照明装置、トンネル内に設置される照明器具に調光制御ケーブルを接続するために用いるトンネル照明器具用コネクタ及びトンネル内に設置された一連の照明器具内の調光回路を直列に接続して一連の照明器具に調光用制御信号を供給する場合に隣り合う照明器具間を接続するために用いるトンネル照明器具用プラグ付き調光制御ケーブルに関するものである。
【背景技術】
【０００２】
図９に示したように、トンネル内には多数の照明器具１，１，…が所定の間隔を隔てて設置される。各照明器具は、基本的にはケースと該ケース内に収容された発光体とにより構成されるが、場合によっては、外部から与えられる制御信号に応じて発光体の調光を行なう調光器がケース内に設けられることもある。トンネル内にはパワーケーブル２が布設され、各照明器具の近傍に設けられたパワーケーブル２の分岐部３から分岐された分岐線４が各照明器具に接続されて各照明器具に給電される。分岐線４は、照明器具１のケース５をブッシングを介して貫通して発光体等に電気的に接続されている。
【０００３】
各照明器具に調光器が設けられる場合には、各照明器具の調光器に制御信号を与えるため、隣り合う照明器具の間が調光制御ケーブル６を通して接続され、各照明器具１内の回路と隣り合う照明器具間を接続する調光制御ケーブル６とを通して、一連の照明器具１，１，…の調光器に制御信号が与えられる。
【０００４】
従来、トンネル内照明装置の照明器具に用いる発光体としては、黄橙色の光を発するナトリウムランプが用いられていたが、最近では、ナトリウムランプから白色発光の蛍光灯に代わりつつある。蛍光灯を用いたトンネル用照明器具に調光器が設けられる場合には、該調光器に制御信号を与えるために少なくとも２本の信号線を必要とする。蛍光灯の光量を多段階に切り換える等の複雑な制御を行なう場合には、最大で４本の信号線を必要とすることがある。
【０００５】
図１０は、従来のトンネル内照明装置において、隣り合う照明器具１，１相互間を接続するために用いられていた調光制御ケーブル６と、該調光制御ケーブルと照明器具１との接続部の構成とを示したものである。調光制御ケーブル６は、区別するために赤、白，黒，青等に着色された絶縁被覆で覆われた第１ないし第４の心線９ａ，９ｂ，９ｃ及び９ｄを有する４心ケーブルからなっている。調光制御ケーブル６の両端は、隣り合う照明器具１，１のケース５，５をそれぞれブッシング７，７を通して貫通して、照明器具１，１のケース内に導入されている。
【０００６】
各照明器具のケース５内には第１ないし第４の端子８ａ，８ｂ，８ｃ及び８ｄを有する端子台８が設けられ、各照明器具のケース内に導入された調光制御ケーブル６の端末部から引き出された第１ないし第４の心線９ａ，９ｂ，９ｃ及び９ｄがそれぞれ端子金具を介して第１ないし第４の端子８ａ，８ｂ，８ｃ及び８ｄにネジ止めされている。端子台８にはまた第１ないし第４の端子８ａ，８ｂ，８ｃ及び８ｄにそれぞれ電気的に接続された端子１０ａ，１０ｂ，１０ｃ及び１０ｄが設けられ、これらの端子１０ａ，１０ｂ，１０ｃ及び１０ｄがケース５内に設けられた図示しない調光器に電気的に接続されている。
【０００７】
上記のように、従来のトンネル内照明装置においては、調光制御ケーブル６の端末部から導出された心線９ａ，９ｂ，９ｃ及び９ｄを、照明器具のケース内に設けられた端子台８の端子８ａ，８ｂ，８ｃ，８ｄに端子金具を介してネジ止めしていたが、暗いトンネル内で端子金具をネジ止めする作業は、作業能率が悪く、時間がかかり、誤接続もあり得る等の問題があった。
【０００８】
そこで、本発明者は、調光制御ケーブルの両端に予めコネクタのプラグを取り付けておくとともに、照明器具のケースに予めコネクタのレセプタクルを取り付けておいて、トンネル内では、調光制御ケーブルの各レセプタクルを対応する照明器具のレセプタクルに接続することにより、調光制御ケーブルを照明器具に接続することを考えた。このように、コネクタを用いて調光制御ケーブルと照明器具とを接続するようにすれば、端子金具をネジ止めする場合に比べて、調光制御ケーブルを照明器具に接続する作業を能率よく行なうことができる。
【０００９】
トンネル内では結露が生じ易いため、上記のように、トンネル内で調光制御ケーブルをコネクタを介して照明器具に接続する構成をとる場合、コネクタとしては防水構造を有するものを用いる必要がある。防水構造を有するコネクタとしては、特許文献１に示されたものが知られている。特許文献１に示されたコネクタのレセプタクルは、レセプタクルハウジングと、該ハウジング内に収容されたレセプタクル側コンタクトとを備えていて、レセプタクルハウジングに設けられた雄ネジ部が電気機器のケースに設けられた取付け孔を通して電気機器のケース内に導入され、該ケース内で雄ネジ部に螺合されたナットの締め付けにより電気機器に固定される。またプラグは、プラグハウジングと、該プラグハウジング内に設けられてケーブルの心線に接続されたプラグ側コンタクトとを備えていて、該プラグハウジングの先端がレセプタクルハウジングに設けられた凹部内に挿入されることにより、プラグ側コンタクトがレセプタクル側コンタクトに接続される。特許文献１に示されたコネクタでは、レセプタクルの取付部を防水構造とするため、レセプタクルハウジングと電気機器のケースの取付け孔の周辺部との間にパッキンを介在させ、上記ナットの締め付けによりパッキンを圧縮することによりレセプタクルの取付部を液密に保つようにしている。
【特許文献１】実公昭５５−１８９３６号公報
【発明の開示】
【発明が解決しようとする課題】
【００１０】
上記のように、従来のトンネル内照明装置では、調光制御ケーブルの端末部から導出された心線を、照明器具のケース内に設けられた端子台の端子に端子金具を介してネジ止めしていたため、調光制御ケーブルを照明器具に接続する作業の作業能率が悪く、時間がかかり、誤接続のおそれもあるという問題があった。
【００１１】
この問題を解決するために、調光制御ケーブルを防水コネクタを介して各照明器具に接続する構成をとることが考えられるが、特許文献１に示されたような従来の防水コネクタを用いた場合には、暗いトンネル内で手探りでプラグの軸線回りの位置を正しく合わせてレセプタクルに接続する作業を行ない難いという問題があった。
【００１２】
更に、従来の防水コネクタでは、レセプタクルの取付部を液密に保つためのパッキンの圧縮量を規制する手段がなかったため、ナットを締め過ぎた際にパッキンが過度に圧縮されて破損し、レセプタクルの取付部の液密を図ることができなくなるおそれがあった。
【００１３】
本発明の第１の目的は、トンネル内での調光制御ケーブルと照明器具との接続作業を容易に行なうことができるようにしたトンネル内照明装置を提供することにある。
【００１４】
本発明の他の目的は、暗いトンネル内でも、プラグの軸線回りの位置を正しく合わせて、誤接続のおそれを生じさせることなく調光制御ケーブルを照明器具に接続することができるようにしたトンネル照明器具用コネクタを提供することにある。
【００１５】
本発明の更に他の目的は、レセプタクルの取付部の液密を図るためのパッキンが過度の圧縮により破損するおそれを無くしたトンネル照明器具用コネクタを提供することにある。
【００１６】
本発明の更に他の目的は、暗いトンネル内であっても、照明器具に取り付けられたレセプタクルに容易に接続することができるプラグを両端に備えたトンネル照明器具用調光制御ケーブルを提供することにある。
【課題を解決するための手段】
【００１７】
本発明は、トンネル内に所定の間隔を隔てて設置された複数の照明器具と、複数の照明器具のそれぞれの内部に設けられた調光器に制御信号を与えるために各照明器具に接続された調光制御ケーブルとを備えたトンネル内照明装置を対象とする。本発明においては、複数の照明器具のそれぞれと調光制御ケーブルとの接続を、プラグ及びレセプタクルを備えたコネクタを介して行なう。またプラグをレセプタクルに接続する際にプラグの軸線回りの位置を合わせるために用いる凸状または凹状の合わせマークを、プラグ及びレセプタクルのそれぞれに設けておく。
【００１８】
本発明の好ましい態様では、調光制御ケーブルが、複数の照明器具に対して共通に設けられた主調光制御ケーブルと、各照明器具の設置箇所で主調光制御ケーブルから分岐した各照明器具用の分岐調光制御ケーブルとからなり、各分岐調光制御ケーブルがプラグ及びレセプタクルからなるコネクタを介して対応する照明器具に接続される。この場合も、プラグをレセプタクルに接続する際にプラグの軸線回りの位置を合わせるために用いる凸状または凹状の合わせマークが、プラグ及びレセプタクルのそれぞれに設けられる。
【００１９】
上記のように、各照明器具と調光制御ケーブルとの接続を、プラグ及びレセプタクルからなるコネクタを介して行なうようにすると、トンネル内での調光制御ケーブルと照明器具との接続作業を容易にすることができる。特に本発明においては、プラグをレセプタクルに接続する際にプラグの軸線回りの位置合わせをするために用いる凸状または凹状の合わせマークをプラグ及びレセプタクルに設けたので、暗いトンネル内でもプラグの位置合わせを容易に行なって、調光制御ケーブルと照明器具との接続作業を能率よく行なうことができる。
【００２０】
本発明はまた、トンネル内に設置される照明器具内の調光器に制御信号を与えるために該照明器具のケースに取り付けられるレセプタクルと、調光器に与える制御信号を伝送する調光制御ケーブルの端末部に取り付けられてレセプタクルに接続されるプラグとを備えたトンネル照明器具用コネクタを対象とする。
【００２１】
本発明においては、前記プラグが、太径の本体とレセプタクル内に挿入される細径の先端部とを一体に有して本体がケーブルの絶縁被覆に一体化されたプラグハウジングと、プラグハウジング内に設けられてケーブルの心線に接続されるプラグ側コンタクトとを備えている。
【００２２】
また、プラグをレセプタクルに接続する際にプラグの向きを判別するために用いられる凸状または凹状の合わせマークが、プラグハウジングの本体の外周に形成されている。
【００２３】
上記のようにプラグハウジングの本体を先端よりも太径に形成しておくと、プラグハウジングを握り易くすることができるため、４心調光制御ケーブルを用いる場合のように、ケーブルの心線の数が多い場合でも、プラグの接続及び切り離し作業を容易に行なわせることができる。また上記のようにプラグハウジングの本体の外周に凸状または凹状の合わせマークを形成しておくと、手探りで合わせマークの位置を確認できるため、暗いトンネル内でもプラグとレセプタクルとの周方向の相対的位置関係を容易に確認することができる。従って、プラグの誤接続を防ぎ、プラグの接続作業を容易にすることができる。
【００２４】
本発明の好ましい態様では、プラグハウジングの本体の外周に、該本体の周方向に伸びる１対の環状の凸条部が前記プラグハウジングの長手方向に間隔を隔てた状態で設けられ、合わせマークは、１対の凸条部の間に形成される。
【００２５】
上記のように構成すると、１対の環状の凸条部に指を掛けることによりプラグハウジングに容易に力を加えることができるため、プラグの引き外しを容易に行うことができる。また上記のように環状の凸条部の間に合わせマークを設けておくと、凸条部を目印にして合わせマークを探すことができるため、暗いトンネル内での合わせマークの位置の確認を容易に行うことができる。
【００２６】
本発明の好ましい態様では、上記レセプタクルが、大径部と該大径部の後端部側から軸線方向に突出して延びる小径の雄ネジ部とを一体に有し、プラグハウジングの先端部を受け入れるための凹部を内側に有して雄ネジ部が照明器具のケースに設けられた取付け孔を通して照明器具内に導入されるレセプタクルハウジングと、レセプタクルハウジング内に収容されてプラグハウジングの先端部が凹部内に挿入された際にプラグ側コンタクトに接触させられるレセプタクル側コンタクトと、雄ネジ部に螺合されたナットと、雄ネジ部に嵌合されてレセプタクルハウジングの大径部と小径の雄ネジ部との間に形成された段部と照明器具のケースの取付け孔の周辺部との間に配置されるパッキンと、ナットと取付け孔の周辺部との間でパッキンを外側から取り囲むように設けられた環状のパッキン規制部材とを備えていて、ナットがレセプタクルハウジング側に締め付けられて照明器具のケースの取り付け孔の周辺部がパッキン規制部材に当接した際に、パッキンの圧縮量が適正になるように、パッキン規制部材の軸線方向長さが設定されている。
【００２７】
上記のように構成すると、レセプタクルを固定するナットを締めすぎてパッキンが過度に圧縮されるのを防ぐことができるため、ナットの締め過ぎによりパッキンが破損してレセプタクルの取付部の液密保持が図れなくなるのを防ぐことができる。
【００２８】
本発明の好ましい態様では、レセプタクルハウジングのハウジング本体の外周にも、プラグの合わせマークに対応する凸状または凹状のレセプタクル側合わせマークが設けられる。またレセプタクルハウジングの雄ネジ部の外周に、照明器具のケースに設けられた取付け孔の内周に形成された位置決め突起を嵌合させるための溝が形成されている。
【００２９】
上記のようにレセプタクルハウジングにも凸状または凹状の合わせマークを設けておくと、プラグとレセプタクルとの間の位置関係の確認を一層容易にすることができるため、トンネル内での調光制御ケーブルの接続作業の能率を向上させることができる。また上記のように、レセプタクルハウジングの雄ネジ部の外周に、照明器具のケースに設けられた取付け孔の内周に形成された位置決め突起を嵌合させるための溝を設けておくと、レセプタクルハウジングを照明器具のケースに取り付ける際に、該レセプタクルハウジングの位置決めを容易にすることができる。
【００３０】
本発明はまた、トンネル内に設置される照明器具の調光器に与える制御信号を伝送するための第１ないし第４の心線を有する調光制御ケーブルと、該ケーブルの一端及び他端にそれぞれ取り付けられた１対のプラグとを備えたトンネル照明器具用プラグ付き調光制御ケーブルを対象とする。
【００３１】
本発明においては、１対のプラグのそれぞれが、太径の本体と照明器具に取り付けられたレセプタクル内に挿入される細径の先端部とを一体に有して本体が調光制御ケーブルの絶縁被覆に一体化されたプラグハウジングと、プラグハウジング内に設けられて調光制御ケーブルの第１ないし第４の心線にそれぞれ接続された第１ないし第４のプラグ側コンタクトとを備え、プラグをレセプタクルに接続する際にプラグの向きを判別するために用いられる凸状または凹状の合わせマークがプラグハウジングの本体の外周に形成される。
【００３２】
１対のプラグのそれぞれの端面を軸線方向から見たときに第１ないし第４の心線にそれぞれ接続された第１ないし第４のプラグ側コンタクトが同じ方向に並ぶように調光制御ケーブルの第１ないし第４の心線と１対のプラグのそれぞれの第１ないし第４のプラグ側コンタクトとがプラグハウジング内で接続されている。
【００３３】
上記のように、１対のプラグのそれぞれの端面を軸線方向から見たときに第１ないし第４の心線にそれぞれ接続された第１ないし第４のプラグ側コンタクトが同じ方向に並ぶように調光制御ケーブルの第１ないし第４の心線と１対のプラグのそれぞれの第１ないし第４のプラグ側コンタクトとをプラグハウジング内で接続しておくと、すべてのプラグ及びレセプタクルのコンタクト間の対応関係を同一にすることができるため、調光制御ケーブルの両端にそれぞれ取り付けられたプラグを同じ向きでレセプタクルに接続することができ、プラグの誤接続を確実に防ぐことができる。
【発明の効果】
【００３４】
以上のように、本発明によれば、各照明器具と調光制御ケーブルとの接続を、プラグ及びレセプタクルからなるコネクタを介して行なうようにしたので、トンネル内での調光制御ケーブルと照明器具との接続作業を容易にすることができる。特に本発明においては、プラグをレセプタクルに接続する際にプラグの軸線回りの位置合わせをするために用いる凸状または凹状の合わせマークをプラグ及びレセプタクルに設けたので、暗いトンネル内でもプラグの位置合わせを容易に行なって、調光制御ケーブルと照明器具との接続作業を能率よく行なうことができる。
【００３５】
また本発明に係わるトンネル照明器具用コネクタにおいては、プラグハウジングの本体を先端よりも太径に形成して、プラグハウジングを握り易くしたため、４心調光制御ケーブルを用いる場合のように、調光制御ケーブルの心線の数が多い場合でも、プラグの接続及び切り離し作業を容易に行なわせることができる。また本発明においては、プラグハウジングの本体の外周に凸状または凹状の合わせマークを形成して手探りで合わせマークの位置を確認できるようにしたため、暗いトンネル内でもプラグとレセプタクルとの周方向の相対的位置関係を容易に確認することができる。従って、プラグの誤接続を防ぎ、プラグの接続作業を容易にすることができる。
【００３６】
本発明において、プラグハウジングの本体の外周に、該本体の周方向に伸びる１対の環状の凸条部をプラグハウジングの長手方向に間隔を隔てた状態で設けて、これらの凸条部の間に合わせマークを形成した場合には、１対の環状の凸条部に指を掛けることによりプラグハウジングに容易に力を加えることができるため、プラグの引き外しを容易に行うことができる。また環状の凸条部の間に合わせマークを設けておくと、凸条部を目印にして合わせマークを探すことができるため、暗いトンネル内での合わせマークの位置の確認を容易に行うことができる。
【００３７】
また本発明において、レセプタクルの取付部の液密を図るためのパッキンを外側から取り囲むように環状のパッキン規制部材を設けて、レセプタクルハウジングを照明器具のケースに固定するナットが締め付けられた際に該ナットがパッキン規制部材に当接してナットの変位量が制限されるようにした場合には、レセプタクルを固定するナットの締め過ぎによりパッキンが過度に圧縮されるのを防ぐことができるため、ナットの締め過ぎによりパッキンが破損してレセプタクルの取付部の液密が図れなくなるのを防ぐことができる。
【００３８】
また本発明において、１対のプラグのそれぞれの端面を軸線方向から見たときに第１ないし第４の心線にそれぞれ接続された第１ないし第４のプラグ側コンタクトが同じ方向に並ぶように調光制御ケーブルの第１ないし第４の心線と１対のプラグのそれぞれの第１ないし第４のプラグ側コンタクトとをプラグハウジング内で接続するようにした場合には、すべてのプラグ及びレセプタクルのコンタクト間の対応関係を同一にして、調光制御ケーブルの両端にそれぞれ取り付けられたプラグを同じ向きでレセプタクルに接続することができるため、プラグの誤接続を確実に防ぐことができる。
【発明を実施するための最良の形態】
【００３９】
以下、図１ないし図９を参照して、本発明に係るトンネル照明器具用コネクタを実施する際の好ましい形態を詳細に説明する。
図８（Ａ）は、本発明に係わるトンネル内照明装置の構成例を示したもので、図示の照明装置は、トンネル内に所定の間隔を隔てて設置された複数の照明器具１，１，…と、複数の照明器具のそれぞれの内部に設けられた調光器に制御信号を与えるために、隣り合う照明器具間を接続する調光制御ケーブル６とを備えている。
【００４０】
複数の照明器具１，１，…のそれぞれと調光制御ケーブル６との接続は、照明器具のケースに取り付けられたレセプタクル１７と該レセプタクルに接続されるプラグ１１とを備えたコネクタ１００を介して行なわれている。各コネクタのプラグ及びレセプタクルには、後記するように、プラグ１１をレセプタクル１７に接続する際にプラグ１１の軸線回りの位置を合わせるために用いる凸状または凹状の合わせマークが設けられている。
【００４１】
本実施形態では、照明器具の調光器に制御信号を与える調光制御ケーブルとして、４心ケーブルが用いられている。本実施形態で用いられている４心調光制御ケーブル６は、図３に示すように、絶縁被覆が異なる色、例えば赤、白、黒及び青に着色されて円周方向に並べられた第１ないし第４の心線９ａないし９ｄを備えていて、これらの心線が絶縁層１４により一括して被覆されている。
【００４２】
図７に示すように調光制御ケーブル６の両端に１対のプラグ１１，１１が取り付けられ、調光制御ケーブル６と１対のプラグ１１，１１とによりプラグ付き調光制御ケーブルが構成されている。また各プラグ１１と各プラグが接続されるレセプタクル１７とによりトンネル照明器具用コネクタが構成される。
【００４３】
先ず調光制御ケーブル６の両端に取り付けられるプラグの構成について説明する。
図１、図２、図４及び図５に示されているように、本実施形態のコネクタを構成するプラグ１１は、太径の本体１２ｂと、レセプタクル１７内に挿入される細径の先端部１２ａと、本体１２ｂと先端部１２ａとの間に形成された中間部１２ｃとを一体に有するプラグハウジング１２と、該プラグハウジング内に収容された第１ないし第４のプラグ側コンタクト１６ａないし１６ｄとにより構成されている。プラグハウジングの中間部１２ｃは、本体１２ｂよりは若干小さく、先端部１２ａよりは若干大きい外径を有するように形成されている。本実施形態では、先端部分１２ａの外径が１９．５ｍｍ、中間部１２ｃの外径が２０．５ｍｍ、本体１２ｂの外径が２５．０ｍｍに設定されている。プラグハウジング１２は、塩化ビニールなどの絶縁性樹脂の成形品からなっていて、本体１２ｂが調光制御ケーブル６の絶縁層１４に一体化されている。
【００４４】
プラグハウジング１２の本体１２ｂ内には、第１ないし第４のプラグ側コンタクト１６ａないし１６ｄが収容されている。これらのプラグ側コンタクトは、基部に圧縮接続部１５を有する雌形のコンタクト（接続端子）で、第１ないし第４のプラグ側コンタクト１６ａないし１６ｄの圧縮接続部１５にそれぞれ調光制御ケーブル６の第１ないし第４の心線９ａないし９ｄが圧縮接続されている。
【００４５】
なお、調光制御ケーブル６の第１ないし第４の心線９ａないし９ｄを、プラグの第１ないし第４のコンタクト１６ａないし１６ｄに接続する際には、調光制御ケーブル６の両端で絶縁層１４を除去するとともに、心線９ａないし９ｄの絶縁被覆を除去してそれぞれの導体を露出させ、露出させた導体を対応するコンタクトに接続する。
【００４６】
第１ないし第４のプラグ側コンタクト１６ａないし１６ｄは円周方向に（正面から見て時計回りに）順次並ぶように配置されて、プラグハウジング１２の本体１２ｂ内に埋設され、第１ないし第４のプラグ側コンタクト１６ａないし１６ｄの先端はプラグハウジング１２の先端部１２ａの端面に開口させられている。第１ないし第４のプラグ側コンタクト１６ａないし１６ｄの内側には孔２２ａないし２２ｄが形成されていて、これらの孔に後記するレセプタクルの雄形コンタクトが挿入される。
【００４７】
図７においては、調光制御ケーブル６の第１ないし第４の心線９ａないし９ｄと１対のプラグ１１，１１のそれぞれの第１ないし第４のプラグ側コンタクト１６ａないし１６ｄとの接続関係を示すために、第１ないし第４の心線９ａないし９ｄ及び第１ないし第４のプラグ側コンタクト１６ａないし１６ｄをそれぞれ符号ＡないしＤで識別している。
【００４８】
図示の調光制御ケーブル６を左側から見ると、第１ないし第４の心線９ａ〜９ｄが時計回りに配列されているのに対し、調光制御ケーブル６を右側から見ると第１ないし第４の心線９ａ〜９ｄが反時計回りに配列されている。これに対し、調光制御ケーブルの左側の端部に取り付けられるプラグ及び右側の端部に取り付けられるプラグのいずれにおいても、第１ないし第４のプラグ側コンタクト１６ａないし１６ｄは時計回りに配列されている。従って調光制御ケーブルの両端で心線９ａないし９ｄをそのまま対応する位置にあるプラグ側コンタクトに接続すると、調光制御ケーブルの一端側と他端側とで調光制御ケーブルの心線とプラグ側コンタクトとの対応関係が異なってしまう。各照明器具に取り付けるレセプタクル１７の構成を同一にするため、調光制御ケーブルの一端側でも他端側でも調光制御ケーブルの心線とプラグ側コンタクトとの対応関係を同一にしておくことが好ましい。
【００４９】
そのため、本実施形態では、調光制御ケーブル６の一端側と他端側とで心線の一部の位置を入れ替えて、図７に示されているように、１対のプラグ１１，１１のそれぞれの端面を軸線方向から見たときに第１ないし第４の心線９ａないし９ｄにそれぞれ接続された第１ないし第４のプラグ側コンタクト１６ａないし１６ｄが同じ方向に（図示の例では時計回りに）並ぶように、調光制御ケーブルの第１ないし第４の心線９ａないし９ｄと１対のプラグ１１，１１のそれぞれの第１ないし第４のプラグ側コンタクト１６ａないし１６ｄとをプラグハウジングの本体内で接続している。プラグハウジングの本体１２ｂは太径に形成されているため、上記のような心線の位置の入れ替えは容易に行なうことができる。
【００５０】
プラグハウジング１２の本体１２ｂの外周には、該本体の周方向に伸びる１対の環状の凸条部１８，１８がプラグハウジング１２の長手方向に間隔を隔てた状態で形成され、これらの凸条部の間に位置させた状態で本体１２ｂの外周に合わせマーク１９が形成されている。合わせマーク１９は、プラグ１１をレセプタクル１７に接続する際にプラグ１１の向き（周方向位置）を判別するために用いられるもので、手探りでも容易に識別し得るように凸状または凹状に形成されるが、図示の例では合わせマーク１９が凸状に形成されている。
【００５１】
上記のように、プラグハウジング１２の本体１２ｂを先端部１２ａよりも太径に形成しておくと、プラグハウジング１２を握り易くすることができるため、４心調光制御ケーブルを用いる場合のように、調光制御ケーブルの心線の数が多い場合でも、プラグ１１の接続及び切り離し作業を容易に行なわせることができる。
【００５２】
また上記のようにプラグハウジング１２の本体１２ｂの外周に凸状または凹状の合わせマークを形成しておくと、手探りで合わせマークの位置を確認できるため、暗いトンネル内でもプラグ１１とレセプタクル１７との軸線回りの（周方向の）正しい相対的位置関係を容易に確認することができる。従って、プラグ１１の誤接続を防ぎ、プラグの接続作業を容易にすることができる。
【００５３】
また上記のように、プラグハウジング１２の本体１２ｂの外周に１対の環状の凸条部を設けておくと、これらの凸条部に指を掛けることによりプラグハウジング１２に容易に力を加えることができるため、プラグの引き外しを容易に行うことができる。また上記のように環状の凸条部１８，１８の間に合わせマーク１９を設けておくと、凸条部１８，１８を目印にして合わせマーク１９を探すことができるため、暗いトンネル内での合わせマークの位置の確認を容易に行うことができる。
【００５４】
図示の例では、プラグハウジング１２の先端部分１２ａの外周に、環状の凸条部１８，１８よりも細径の１対の凸条部２０，２０が形成されている。凸条部２０，２０は、凸条部１８，１８と同様にプラグハウジングの周方向に延びるように形成されていて、プラグハウジングの先端部１２ａがレセプタクル１７に挿入された際にレセプタクルの凹部の内周にきつく嵌合してプラグとレセプタクルとの嵌合部のシールを図る。
【００５５】
プラグハウジング１２の先端部１２ａの先端面には、プラグ側コンタクト１６ａないし１６ｄのそれぞれの軸心部の孔２２ａないし２２ｃの間を仕切るように十字状の突起２３が形成されている。
【００５６】
次に照明器具のケースに取り付けられるレセプタクル１７の構成を説明する。
図示のレセプタクル１７は、樹脂の成形品からなっていて、大径部２５ａと該大径部の後端部側及び先端側からそれぞれ軸線方向に突出して延びる小径の雄ネジ部２５ｂ及び２５ｃとを一体に有するレセプタクルハウジング２５を備えている。レセプタクルハウジング２５は、プラグハウジング１２の先端部１２ａを受け入れるための凹部２４を内側に有していて、その後端側の雄ネジ部２５ｂが照明器具１のケース５の取り付け孔５ａ（図６参照）を通してケース５内に導入されている。
【００５７】
レセプタクルハウジング２５内には、プラグハウジング１２の先端部１２ａが凹部２５ａ内に挿入された際に第１ないし第４のプラグ側コンタクト１６ａないし１６ｄにそれぞれ接触させられる第１ないし第４のレセプタクル側コンタクト２１ａないし２１ｄ（第４のレセプタクル側コンタクト２１ｄは図示せず。）が収容されている。
【００５８】
第１ないし第４のレセプタクル側コンタクト２１ａないい２１ｄは雄形のコンタクトで、プラグ側コンタクト１６ａないし１６ｄと同様に円周方向に並べて配置されて、ハウジング本体２５ｂの雄ネジ部２５ｂの端部に形成された凹部２４の底壁部２５ｃを貫通した状態で保持されている。第１ないし第４のレセプタクル側コンタクト２１ａないし２１ｄは、それぞれの先端側に形成された接点部３４をハウジング本体２５ａの内側の凹部２４内に突出させ、それぞれの後端部側に形成されたリード線接続部３５を外部に突出させた状態で設けられていて、それぞれのリード線接続部３５に調光器につながるリード線が接続される。凹部２４の底壁部２５ｃには、プラグハウジング１２の先端を凹部２４内に挿入した際に凹部２４内の空気を抜くための通気孔（貫通孔）２６が設けられている。更に、レセプタクルハウジング２５の凹部２４の底部には、プラグ１１が凹部２４に挿入された際に、該プラグの先端の十字状の突起２３が嵌合する十字状の溝２７が設けられている。
【００５９】
雄ネジ部２５ｂにはパッキン３０が嵌合され、該パッキン３０がレセプタクルハウジング２５の大径部２５ａと雄ネジ部２５ｂとの間に形成された段部と照明器具１のケース５の取付け孔５ａの周辺部との間に配置されている。またケースの取り付け孔の周辺部とハウジング本体２５ａとの間でパッキン３０を取り囲むように環状のパッキン規制部材３６が配置されている。雄ネジ部２５ｂにはまたナット３１が螺合され、照明器具のケース５の取り付け孔の周辺部がパッキン規制部材３６に当接するまでナット３１を締め付けることにより、パッキン３０を圧縮してレセプタクルハウジング２５を照明器具のケース１に固定するようになっている。
【００６０】
本実施形態では、ナット３１がレセプタクルハウジング２５側に締め付けられて照明器具のケースの取り付け孔５ａの周辺部がパッキン規制部材３６に当接した際に、パッキン３０の圧縮量が適正になるように、パッキン規制部材３６の軸線方向長さが設定されている。
【００６１】
レセプタクルハウジング２５の凹部２４の内周には筒状パッキン２８が嵌合されている。筒状パッキン２８は、凹部２４の内周に嵌合された状態で、その先端がコネクタハウジング２５の先端から若干外に突出するように形成されている。レセプタクルハウジング２５の先端側の雄ネジ部２５ｃには、合成樹脂製のナット２９が螺合されていて、凹部２４の内周の筒状パッキン２８の内側に４心コネクタ本体１２の先端部分１２ａを挿入した状態で、ナット２９を締め付けることによりコネクタハウジング２５の先端から若干外に突出した筒状パッキン２８の先端を圧縮することにより該筒状パッキン２８を縮径させ、これによりパッキン２８をプラグハウジング１２の先端部分１２ａの外周に密着させて水密のシールを行うようになっている。このとき、先端部分１２ａの外周に設けられた１対の凸条部２０，２０が筒状パッキン２８の内周に食い込むようになっており、筒状パッキン２８の縮径とリング形凸条部２０の筒状パッキン２８内への食い込みとにより、プラグハウジング１２の先端部分１２ａの引き抜き抵抗が大きくなって、プラグ１１がレセプタクル１７から外れるのを防ぐようになっている。
【００６２】
レセプタクルハウジング２５の大径部２５ａ外周には、凸状の合わせマーク３２が形成され、プラグ１１の合わせマーク１９の位置をレセプタクルの合わせマーク３２の位置に合わせることにより、プラグ１１とレセプタクル１７との間の位置関係を正しく合わせることができるようになっている。またレセプタクルハウジング２５の雄ネジ部２５ｂの外周には、該レセプタクルハウジングの軸線方向に延びる溝４０が形成され、照明器具１のケース５に設けられた取付け孔の内周に形成された位置決め突起５ｂ（図６参照）を溝４０に嵌合させることにより、レセプタクルの回り止めを図るようになっている。
【００６３】
本実施形態のプラグ１１をレセプタクル１７に接続する際には、レセプタクル１７のナット２９を緩めておいて、プラグ１１の合わせマーク１９をレセプタクル１７の合わせマーク３２に合わせて、プラグハウジング１２の先端部１２ａをレセプタクルハウジング２５の凹部２４内に挿入する。凹部２４内の空気を通気孔２６から抜きつつプラグハウジング１２の先端部分１２ａを凹部２４内に押し込み、この押し込み操作で、プラグハウジング１２の十字状の突起２３がレセプタクル１７の十字状の溝２７に嵌合させる。この状態では、プラグハウジング１２の中間部１２ｃの先端が、レセプタクル１７の筒状パッキン２８の先端に当たってそれ以上の挿入ができないようになっている。かかる状態で、ナット２９を締めることによりレセプタクルハウジング２５の先端から若干外にはみ出ている筒状パッキン２８の先端部を圧縮して該筒状パッキン２８を縮径させ、これによりパッキン２８をプラグハウジング１２の先端部分１２ａの外周に密着させるとともに、プラグハウジングの先端部の外周の凸条部２０をパッキン２８内に食い込ませて、水密のシールを図る。
【００６４】
上記例では、合わせマーク１９，３２を凸状に設けたが、合わせマークは手で触れることにより認識し得るものであればよいので、合わせマークを凹状に設ける（凹部を合わせマークとする）こともできる。
【００６５】
上記の実施形態では、プラグとレセプタクルとの嵌合部のシールを図るための凸条部２０を１対設けたが、この凸条部の数は１対に限定されるものではなく、プラグ本体の先端部外周に少なくとも１個以上の凸条部があればプラグとレセプタクルとの嵌合部のシールを図ることができる。
【００６６】
上記の例では、トンネル内に設置された一連の照明器具１，１，…を順次調光制御ケーブル６を介して接続していくようにしたが、図８（Ｂ）に示したように、調光用の制御信号を伝送する主調光制御ケーブル６Ａを一連の照明器具１，１，…に対して共通に設けて該共通の主調光制御ケーブル６Ａを照明器具１，１，…の並設方向に沿って布設し、各照明器具１の設置箇所で主調光制御ケーブル６Ａから各照明器具用の分岐調光制御ケーブル６Ｂを分岐させて、各分岐調光制御ケーブル６Ｂの端末部に取り付けたプラグ１１を対応する照明器具のケースに取り付けられたレセプタクル１７に接続するようにしても良い。
【図面の簡単な説明】
【００６７】
【図１】本発明の本実施形態のコネクタを構成するプラグの側面図である。
【図２】同プラグの正面図である。
【図３】本実施形態で用いるケーブルの断面図である。
【図４】本実施形態のコネクタのプラグ及びレセプタクルを示した縦断面図である。
【図５】同コネクタを照明器具のケースに取り付けた状態を示す側面図である。
【図６】本実施形態で用いるレセプタクルの構造を示す断面図である。
【図７】本実施形態に係わるトンネル照明器具用プラグ付き調光制御ケーブルの構造を示した斜視図である。
【図８】（Ａ）及び（Ｂ）はそれぞれ本発明の係わるトンネル内照明装置の異なる構成例を示した結線図である。
【図９】従来のトンネル内照明装置の照明器具相互間の接続を示した結線図である。
【図１０】従来のトンネル内照明装置において、隣り合う照明器具相互間を接続するために用いられていた調光制御ケーブルと、該調光制御ケーブルと照明器具との接続部の構成とを概略的に示した要部の断面図である。
【符号の説明】
【００６８】
１  照明器具
５  ケース
６  調光制御ケーブル
９ａ〜９ｄ  第１ないし第４の心線
１１  プラグ
１２  プラグハウジング
１２ａ  先端部分
１２ｂ  本体
１６ａ〜１６ｄ  第１ないし第４のプラグ側コンタクト
１７  レセプタクル
１８  環状の凸条部
１９  合わせマーク
２１ａないし２１ｄ  第１ないし第４のレセプタクル側コンタクト
２４  凹部
２５  レセプタクルハウジング
３０  パッキン
３１  ナット
３２  合わせマーク
４０  溝
１００  コネクタ
【図１】
2005310763.tif 000003
【図２】
2005310763.tif 000004
【図３】
2005310763.tif 000005
【図４】
2005310763.tif 000006
【図５】
2005310763.tif 000007
【図６】
2005310763.tif 000008
【図７】
2005310763.tif 000009
【図８】
2005310763.tif 000010
【図９】
2005310763.tif 000011
【図１０】
2005310763.tif 000012